(57)【要約】【課題】カーテンなどの障害物に引っかからず、安全に移動することが可能な点滴スタンドを提供する。【解決手段】点滴スタンド１は、キャスタ１７を備えるベース部１６と、ベース部１６に上方に向けて立てられるスタンド１５と、スタンド１５の先端部に配置され、ハンドル１４を有するハンドルユニット１３と、スタンドに接続されるポール１２と、ポール１２の上端部に周方向が水平になるように設置され、外周が連続する形状をなす頭頂部材１１と、先端部が頭頂部材１１の外周端部よりスタンド１５の軸Ｘ１方向の側に位置するように頭頂部材１１に取り付けられる辺縁フック１１Ｃと、を備える。【選択図】図１
2018007766.tif 000002
【特許請求の範囲】
【請求項１】
キャスタを備えるベース部と、
前記ベース部に上方に向けて立てられるスタンドと、
前記スタンドの先端部に配置され、ハンドルを有するハンドルユニットと、
前記スタンドに接続されるポールと、
前記ポールの上端部に周方向が水平になるように設置され、外周が連続する形状をなす頭頂部材と、
先端部が前記頭頂部材の外周端部より前記スタンドの軸方向の側に位置するように前記頭頂部材に取り付けられるフックと、
を備える点滴スタンド。
【請求項２】
前記頭頂部材は、
平面視が略円形の環状をなす請求項１に記載の点滴スタンド。
【請求項３】
前記フックは、
前記頭頂部材の内側に取り付けられる請求項２に記載の点滴スタンド。
【請求項４】
前記フックは、
前記頭頂部材の内側から下方に延び、さらに前記頭頂部材の外側方向に曲がった形状をなす請求項１に記載の点滴スタンド。
【請求項５】
前記フックは、
前記頭頂部材の外側方向に曲がった後に、さらに斜め上方に延びる形状をなす請求項４に記載の点滴スタンド。
【請求項６】
前記頭頂部材は、
円盤形状であり、
前記フックは、
前記頭頂部材の略中央部から下方に延び、さらに前記頭頂部材の外側方向に曲がった形状をなす請求項１に記載の点滴スタンド。
【請求項７】
前記頭頂部材は、
平面視が多角形状をなし、
前記フックは、
前記頭頂部材の略中央部から下方に延び、さらに前記頭頂部材の外側方向に曲がった形状をなす請求項１に記載の点滴スタンド。
【発明の詳細な説明】
【技術分野】
【０００１】
本発明は、点滴スタンドに関するものである。
【背景技術】
【０００２】
主として医療用に用いられる点滴スタンドは、キャスタを有する脚部と、脚部に垂直に立てられる支柱部と、支柱部の上端部に設置される吊り下げ部と、を備える（例えば、特許文献１）。
【０００３】
点滴スタンドが使用されるのは主に病院が多い。特に、入院病棟においては、ベッドの周囲をカーテンによって囲むことが多い。また、診察室においてもカーテンが使用されることが多い。このようなカーテンは、通気や採光のために上部に網の部分を備える。
【０００４】
これに対し、従来の点滴スタンドは格別の配慮がなされておらず、点滴バッグを吊り下げる吊り下げ部がカーテンの網の部分に引っかかることがあった。吊り下げ部がカーテンの網の部分に引っかかると、カーテンが意図しないときにめくれたり、点滴スタンドが転倒したりする危険があった。
【先行技術文献】
【特許文献】
【０００５】
【特許文献１】特開２０１４−２３３３９８号公報
【発明の概要】
【発明が解決しようとする課題】
【０００６】
本発明の解決しようとする課題は、カーテンなどの障害物に引っかからず、安全に移動することが可能な点滴スタンドを提供することである。
【課題を解決するための手段】
【０００７】
本発明は、キャスタを備えるベース部と、前記ベース部に上方に向けて立てられるスタンドと、前記スタンドの先端部に配置され、ハンドルを有するハンドルユニットと、前記スタンドに接続されるポールと、前記ポールの上端部に周方向が水平になるように設置され、外周が連続する形状をなす頭頂部材と、先端部が前記頭頂部材の外周端部より前記スタンドの軸方向の側に位置するように前記頭頂部材に取り付けられるフックと、を備える点滴スタンドを提供する。
【発明の効果】
【０００８】
本発明によれば、カーテンなどの障害物に引っかからず、安全に移動することが可能な点滴スタンドを提供することができる。
【図面の簡単な説明】
【０００９】
【図１】点滴スタンドの斜視図。
【図２】点滴スタンドの正面図。
【図３】点滴スタンドの背面図。
【図４】点滴スタンドの左側面図。
【図５】点滴スタンドの右側面図。
【図６】点滴スタンドの底面図。
【図７】点滴スタンドの平面図。
【図８】Ｌ字形状の辺縁フック付近の拡大図。
【図９】Ｊ字形状の辺縁フック付近の拡大図。
【図１０】錨形状の中心フックの例を示す図。
【発明を実施するための形態】
【００１０】
以下、本発明の実施形態の一例にかかる点滴スタンド１を、図面を参照しながら説明する。
【００１１】
図１は点滴スタンド１の斜視図、図２は点滴スタンド１の正面図、図３は点滴スタンド１の背面図、図４は点滴スタンド１の左側面図、図５は点滴スタンド１の右側面図、図６は点滴スタンド１の底面図、図７は点滴スタンド１の平面図である。
【００１２】
図１から図５までに示すように、点滴スタンド１は、キャスタ１７を備えるベース部１６と、ベース部１６に上方に向けて立てられるスタンド１５と、スタンド１５の先端部に配置され、ハンドル１４を有するハンドルユニット１３と、スタンド１５の伸延方向の軸Ｘ１と同軸に設けられ、先端部の軸Ｘ２がスタンド１５の伸延方向の軸Ｘ１に対してずれるように屈曲するポール１２と、ポール１２の先端部に配置され、スタンド１５の伸延方向の軸Ｘ１の略延長線上に配置される中心フック１１Ｂ及び中心フック１１Ｂを対称の中心として水平方向に対称に配置される辺縁フック１１Ｃを有する頭頂部材１１と、を備える。以下、辺縁フック１１Ｃを単にフックともいう。
【００１３】
ベース部１６は、スタンド１５の取付部１６Ａを中心に、水平方向に放射状に延びるキャスタアーム１６Ｂを備える。ベース部１６は、キャスタアーム１６Ｂを例えば５本備えることができる。
【００１４】
キャスタアーム１６Ｂは、先端部にキャスタ１７を有し、床面方向に高さＨ１だけ屈曲して取付部１６Ａの下端部１６Ｃに接続する。高さＨ１は、床面からキャスタアーム１６Ｂのキャスタ１７の取り付け位置までの高さより低く、下端部１６Ｃの床面に面する面である裏面が床面に接触しない程度の高さを有する。
【００１５】
従って、ベース部１６は取付部１６Ａの下端部１６Ｃの裏面が床面に接触しない程度に、キャスタ１７の上端部より低い。
【００１６】
取付部１６Ａは、ベース部１６から略垂直に上方に延びる。
【００１７】
スタンド１５は、例えば中空のパイプ形状をなし、下端部が取付部１６Ａに設けられる取り付け孔に差し込まれる。スタンド１５の上端部にはハンドルユニット１３が取り付けられる。
【００１８】
ハンドルユニット１３は、リング形状をなすハンドル１４がハンドルユニット１３の上下方向中央部よりやや下方に、周が水平になるように取り付けられる。ハンドルユニット１３は、下方アジャスタ１３Ａを操作することにより上下方向に高さ調節が可能である。ハンドルユニット１３は、上部にポール１２を備える。ポール１２は、ハンドルユニット１３の上方アジャスタ１３Ｂを操作することにより伸縮が可能である。
【００１９】
ハンドルユニット１３は、ハンドル１４の取り付け部分の上方の方が、下方より長さが長く、スタンド１５を取り巻くように形成されるグリップ部１３Ｃを有する。このグリップ部１３Ｃは、ユーザが手によって把持し、点滴スタンド１を移動させるのに用いることができる。
【００２０】
ハンドル１４は、平面視が略円形であるリング形状をなし、このリングの直径方向に渡された把持バー１４Ａによってハンドルユニット１３に支持される。ユーザはハンドル１４又は把持バー１４Ａを持って点滴スタンド１を移動させることができる。
【００２１】
グリップ部１３Ｃ、ハンドル１４、及び把持バー１４Ａは、いずれも掴むのに適した外径を有する。グリップ部１３Ｃ、ハンドル１４、及び把持バー１４Ａは、ウレタンなどの弾力性のある樹脂によって形成することもできる。この場合、グリップ部１３Ｃ、ハンドル１４、及び把持バー１４Ａは、より手になじむため、点滴スタンド１が手から滑って転倒することを防止することができる。
【００２２】
ポール１２は、ハンドルユニット１３への取り付け部分より上方において、スタンド１５の伸延方向の軸Ｘ１に対して上方に角度θ１だけ開くように屈曲し、所定長だけ延びたのちに再び上方に向かって延びるように屈曲する。角度θ１は鋭角であり、３０°程度であることがバランスを保つ上において望ましい。
【００２３】
ポール１２の上端部分の伸延方向の軸Ｘ２とスタンド１５の伸延方向の軸Ｘ１とは、間隔Ｗ１をあけて略平行になる。間隔Ｗ１は、各キャスタアーム１６Ｂの長さより短く、スタンド１５の外径の長さより長い。
【００２４】
ポール１２の上端部には頭頂部材１１が取り付けられる。頭頂部材１１は、平面視が略環状をなし、スタンド１５の伸延方向の軸Ｘ１の延長線上に配置される中心フック１１Ｂと、中心フック１１Ｂを頭頂部材１１の内側の縁１１Ｄに支持する支持アーム１１Ａと、辺縁フック１１Ｃと、を備える。
【００２５】
支持アーム１１Ａは、頭頂部材１１の内側の縁から水平にスタンド１５の伸延方向の軸Ｘ１に向かって延びる。支持アーム１１Ａの先端には中心フック１１Ｂが設置される。
【００２６】
辺縁フック１１Ｃは、辺縁フック１１Ｃの先端部１１Ｅが頭頂部材１１の水平方向の外周端部１１Ｆよりも外側に出ないように頭頂部材１１に設置される。
【００２７】
頭頂部材１１は、外周が連続する環状をなし、周方向が水平になるようにポール１２に設置される。ここで、外周が連続するとは、外周にカーテン等の障害物に引っかかる凸部、凹部、切欠きなどがないことを意味する。頭頂部材１１を外周が連続する環状に形成し、辺縁フック１１Ｃを上述のように配置することにより、辺縁フック１１Ｃの先端部１１Ｅが、病室などに設けられるカーテンの上部に設けられる網部分に引っかかることがなくなる。
【００２８】
辺縁フック１１Ｃは、頭頂部材１１に中心フック１１Ｂを対称の中心として水平方向に、二つを一対として対称に配置される。頭頂部材１１は辺縁フック１１Ｃを複数対有していてもよい。この場合、各辺縁フック１１Ｃの距離が互いに等しくなるように配置されることが、バランスをとる上において望ましい。
【００２９】
次に、点滴スタンド１の使用方法について説明する。点滴バッグが奇数個の場合、先ず一つ目の点滴バッグを中心フック１１Ｂに掛ける。次いで、残りの複数個の点滴バッグを、中心フック１１Ｂを挟み、互いに１８０°反対側に配置されるように辺縁フック１１Ｃを二つ選び、それぞれの辺縁フック１１Ｃに点滴バッグを一つずつ掛ける。さらに複数個の点滴バッグがある場合には、同様に二つの辺縁フック１１Ｃを選び、それぞれの辺縁フック１１Ｃに点滴バッグを一つずつ掛ける。
【００３０】
上述のように点滴バッグを掛けると、重心の偏りがなくなり、重さのバランスが保たれる。従って、点滴スタンド１を移動する場合にも、誤って倒れる可能性が低減される。
【００３１】
なお、中心フック１１Ｂと辺縁フック１１Ｃの形状は、どのような形状でもよい。例えば、図示したＬ字形状の他、頭頂部材１１から下方に延び、次いで上方に湾曲するＪ字形状であっても、一度に二つの点滴バッグを掛けられる錨形状であってもよい。より具体的には、辺縁フック１１Ｃは、頭頂部材１１の内側に取り付けられ、頭頂部材１１の内側から下方に延び、さらに頭頂部材１１の外側方向に曲がった後、さらに斜め上方に延びる形状をなす。辺縁フック１１Ｃは、このような形状をなすことにより、点滴バッグが抜け落ちることを防止できる。
【００３２】
図８はＬ字形状の辺縁フック１１Ｃ付近の拡大図、図９はＪ字形状の辺縁フック１１Ｃ付近の拡大図である。図８及び図９に示すように、辺縁フック１１Ｃの形状にかかわらず、辺縁フック１１Ｃの先端部１１Ｅの端部Ｆ２が、頭頂部材１１の外周端部１１Ｆの端部Ｆ１よりもスタンド１５の軸Ｘ１側に位置するように、辺縁フック１１Ｃは頭頂部材１１に配置される。ここで、先端部１１Ｅが頭頂部材１１の外周端部１１Ｆよりスタンド１５の軸Ｘ１方向の側に位置するとは、辺縁フック１１Ｃがスタンド１５の軸Ｘ１の略延長線上に配置されることも含む。
【００３３】
このように辺縁フック１１Ｃを配置すれば、辺縁フック１１Ｃがカーテンの網に引っ掛かることを頭頂部材１１の外周端部１１Ｆが阻止することが可能となる。
【００３４】
図１０は錨形状の中心フック１１Ｂの例を示す図である。図１０に示すように、錨形状の中心フック１１Ｂは、下方に延びる中心体の端部に二つの上方に延びる掛け手を有する。掛け手は３つ以上あってもよい。
【００３５】
中心フック１１Ｂには、複数の点滴バッグを掛けることが可能である。特に多数の点滴バッグを掛ける必要がある場合には、中心フック１１Ｂに複数の点滴バッグを掛けることにより、安定性が増す。錨形状の中心フック１１Ｂはこの場合に好適である。
【００３６】
また、支持アーム１１Ａは、一端のみが頭頂部材１１に接続する片持ち型でもよいし、環状の頭頂部材１１の内側を直径方向に横切るように両端が頭頂部材１１に接続していてもよい。
【００３７】
上述の例においては、頭頂部材１１が環状の例を示したが、頭頂部材１１の形状はこれに限らず、外周が連続する円盤形状、四角形以上の多角形の板状、又は柱体形状であってもよい。頭頂部材１１が多角形をなす場合には、各頂点を丸くすることが、カーテンの引っ掛かりを防ぐ点において望ましい。
【００３８】
以上述べたように、本実施形態の点滴スタンド１は、キャスタ１７を備えるベース部１６と、ベース部１６に上方に向けて立てられるスタンド１５と、スタンド１５の先端部に配置され、ハンドル１４を有するハンドルユニット１３と、スタンドに接続されるポール１２と、ポール１２の上端部に周方向が水平になるように設置され、外周が連続する形状をなす頭頂部材１１と、先端部が頭頂部材１１の外周端部よりスタンド１５の軸Ｘ１方向の側に位置するように頭頂部材１１に取り付けられるフック（辺縁フック１１Ｃ）と、を備える。
【００３９】
辺縁フック１１Ｃは環状の頭頂部材１１の外周端部１１Ｆよりも外側に出ないように配置される。
【００４０】
従って、カーテンの上部に設けられる網に辺縁フック１１Ｃが引っかかることを防止することができるという効果がある。
【００４１】
点滴スタンド１は、スタンド１５の伸延方向の軸Ｘ１と同軸に設けられ、先端部の軸Ｘ２がスタンド１５の伸延方向の軸Ｘ１に対して所定長の間隔Ｗ１だけずれるように屈曲するポール１２と、ポール１２の先端部に配置され、スタンド１５の伸延方向の軸Ｘ１の延長線上に配置される中心フック１１Ｂ及び中心フック１１Ｂを対称の中心として水平方向に対称に、かつ、互いに等距離になりように配置される辺縁フック１１Ｃを有する頭頂部材１１と、を備えるように構成することもできる。
【００４２】
この場合、点滴バッグを、奇数個掛ける場合にも、偶数個掛ける場合にも重さのバランスが保たれ、誤って転倒することを効果的に防ぐことが可能となるという効果がある。
【００４３】
さらに、ベース部１６は、スタンド１５の取付部１６Ａが、キャスタ１７を有するキャスタアーム１６Ｂの高さより床面方向に低く形成される。
【００４４】
従って、重心が低くなり、移動の際に安定するという効果がある。
【００４５】
すなわち、ポール１２がスタンド１５の軸Ｘ１から偏心し、中心フック１１Ｂが軸Ｘ１の略延長線上に配置されること、ベース部１６の取付部１５Ａが床面方向に低く形成されること、のいずれもが点滴スタンド１の重心の安定性に寄与する。これに加え、ハンドル１４の形状がリング形状であり、ハンドル１４の上部にグリップ部１３Ｃが設けられることにより、移動の際に従来の点滴スタンドより重心の安定性が向上している。
【符号の説明】
【００４６】
１  点滴スタンド
１１  頭頂部材
１１Ａ  支持アーム
１１Ｂ  中心フック
１１Ｃ  辺縁フック
１１Ｄ  縁
１１Ｅ  先端部
１１Ｆ  外周端部
１２  ポール
１３  ハンドルユニット
１３Ａ  下方アジャスタ
１３Ｂ  上方アジャスタ
１３Ｃ  グリップ部
１４  ハンドル
１４Ａ  把持バー
１５  スタンド
１６  ベース部
１６Ａ  取付部
１６Ｂ  キャスタアーム
１６Ｃ  下端部
１７  キャスタ
【図１】
2018007766.tif 000003
【図２】
2018007766.tif 000004
【図３】
2018007766.tif 000005
【図４】
2018007766.tif 000006
【図５】
2018007766.tif 000007
【図６】
2018007766.tif 000008
【図７】
2018007766.tif 000009
【図８】
2018007766.tif 000010
【図９】
2018007766.tif 000011
【図１０】
2018007766.tif 000012